(57)【要約】      （修正有）【課題】メーカーが自費で、視覚障害のある方のために、牛乳の紙パックの容器に「切り口」を入れたり、缶ビールの上蓋部分に「点字」で中味が判るよう刻印し、他社との比較を示し販売している食品がありますが、売上の増進を望むものの、売上はさほど伸びず、この不都合を解決すること。【解決手段】容器に「点字」や「切り込み」を入れてジュース等を販売して、売上の増進は望めなかったものを、この発明は、発明者が指定した「ロゴ、マーク」を協賛メーカーが、ジュースやスナック菓子等の容器に印刷し販売、消費者が購入すると「目の不自由」な方へ「盲導犬」が贈られたり、「身障者」の方へは電動車椅子が贈られ、「体の不自由な方や高齢者の方々等」への介護に携わって働いている方たちへは、資金的な支援の「寄附」が贈られることを、宣伝で大衆に周知させ売上をアップさせることで、消費者の参加を得て、この課題を解決する。【選択図】なし【特許請求の範囲】
【請求項１】
本発明は、メ−カ−が自費で、視覚障害のある方々のために、容器に「切り口」を入れたり「点字」で中味が判るよう刻印し、他社との比較を示し販売している食品があり、視覚障害のある方には、開封しないで中味が判るから有り難いことでありますが、視覚健常者である一般消費者は、開封しなくても外見から中味が判り、購入するときは個人の好みのメ−カ−の食品等を買うので、同じ種類の食品等が、陳列棚に並んでいても、「紙パック」の容器に「切り口」を入れたり、「点字」で刻印された商品だから、特別に購入しょうということにはならず、メ−カ−としては経費をかけて、容器に「点字」や「切り込み」を入れてジュ−ス等を販売して、売上の増進を望むものの、売上はさほど伸びず、この不都合を解決するための発明となります。
【請求項２】
この発明は、発明者が予め指定した「ロゴ、マ−ク」を、協賛メ−カ−がジュ−スやスナック菓子等の容器に印刷して販売し、消費者が購入したら「メ−カ−の名において」例えば、視覚障害のある方には盲導犬とか、身障者の方々や車椅子が必要な方たちには電動車椅子の寄贈とか、各施設で介護に携わって働いている方たちには支援のための「寄附」が贈られることを特徴とする。
【請求項３】
発明者が、予め指定した「ロゴ、マ−ク」を、協賛メ−カ−が食品等の容器に印刷して販売すると、協賛メ−カ−は、発明者に特許料を支払います。
【請求項４】
発明者は、特許料の「３分の１」を使って、消費者が「ロゴ、マ−ク」入りの食品等を購入すると、その売上の一部が、「メ−カ−の名において」例えば、視覚障害のある方には盲導犬の育成費用とか、身障者の方々や車椅子が必要な方たちへ電動車椅子の寄贈とか、各施設で介護に携わって働いている方たち等への、支援のための「寄附」が贈られることを、テレビやラシオの媒体、「ミニチュアのぼり広告」、ポスタ−等を通じて、全国的にピ−、ア−ル活動をし、消費者に「ロゴ、マ−ク」入りの商品を購入したら、各施設等へ「寄附」されることを、一般大衆に周知させます。
【請求項５】
発明者は、メ−カ−の名において「寄附」を贈る、全国の視覚障害者や盲導犬養成組織、身障者の福祉施設の団体、高齢者福祉施設の団体及び関連施設等の各施設等へ協力要請をし、「ロゴ、マ−ク」入りの食品等を取り扱っている、全国のコンビニ・ス−パ−・デパ地下・自動販売機を取り扱っている業者等に、定期的に循環して面会してもらい、「ロゴ、マ−ク」の入った食品等が売れたら、我々の各施設等へ「寄附」が贈られることを伝えて陳列するとき「ロゴ、マ−ク」を表向きにして並べて目立つように配列してもらうよう協力を要請、売上の向上を目指します。
【請求項６】
発明者が、「メ−カ−の名において」、各施設等へ「寄附」する特許料の「３分の１」は供託扱いとされ、メ−カ−から入金される特許料の「３分の１」の「寄附金」充当金は、その供託される特別の金融機関の口座に振り込まれ、発明者及び関係者は「寄附」がされる時、出金されるまで手に触れることはなく、また「寄附」が実行される時は、協賛メ−カ−等の立ち会いの元で「寄附」が公正に行われているかどうか、監視の元で公正に実行されます。
【請求項７】
協賛メ−カ−が選んで、「ロゴ、マ−ク」を容器に印刷する食品等は、「産地偽装」等の問題の起こりそうな食品や、過去にそのような社会的な問題に発展した商品のメ−カ−は、対象外となり、発明者と協賛メ−カの協議の上で決定されます。メ−カ−が選ぶ食品等は、牛乳・各種ジュ−ス・コ−ヒ−・アイスクリ−ム・酒類・スナック菓子・インスタントラ−メン・カップ麺・ハム及びソ−セ−ジ、その他メ−カ−が「寄附」の対象として選別した食品になりますが、「ロゴ、マ−ク」は、それ等の食品等の入った、紙パック・プラスチック容器・紙容器・ペットボトル・瓶・缶等の容器等にメ−カ−は、「ロゴ、マ−ク」を印刷または張り付け表示して販売します。
〔参考１〕
幼稚園児や小中学生の子供さんのあいだでも、「ロゴ、マーク」の入ったジュ−スやスナック菓子等を買えば、目の不自由な方へ盲導犬とか、身障者の方とか、ご高齢や体が御不自由な方で車椅子が必要な方に電動車椅子を贈ったり、体の不自由な方や、お年寄りのお世話をしている方たちに、支援の「寄附」が贈られることを、テレビやラジオ「ミニのぼり広告・ポスタ−」等で全国的に宣伝しているので知れ渡っており、「ロゴ、マ−ク」入りのジュ−スやスナック菓子等を購入する機会が多くなり、売上を上昇させることができるものです。
「赤い羽根共同募金」や「年末助け合い運動の募金」のように、「街頭で幼稚園児や小中学生の子供さんたち」の呼びかけで、募金活動の「寄附」をする時と、この発明の「寄附」は、子供たちが「おやつを買うとき」自分の好みのジュ−スやスナック菓子等を買うだけで、「ロゴ、マ−ク」が容器に印刷されていれば、「寄附」がされるので、この発明は何の意識も抵抗もなく自然に買い物をするだけで、「寄附行為」に参加していることになります。
〔参考２〕
「おやつを買う感覚」で、自分の好みのジュースやスナック菓子等を買うだけで、自然のうちに「寄附行為」が行われるのであるから、これらの自然な行為が、現在の幼稚園児や小中学生の子供さんたちに浸透して行けば、お年寄りの方に「席を譲ったり」白い杖を携えた、目の不自由な方を見かけたら、「駅の改札口」とか「交差点」とかを誘導したりする行為を見かけるようになるのではと期待しており、またこの「寄附」は、弱い立場にあられる方へ贈られるものでありますが、延いては「弱い者いじめ」問題の解消に繋がれば、将来日本から「産地偽装」や「家庭内の粗大ゴミ」を人通りのない通りや、山中に投棄するような「人の見てない」ときは何でもしてしまうことがあっても、子供たちが制止してくれる世の中になるであろうから、日本の将来が明るく良くなり、この発明を出願した意義があります。
【発明の詳細な説明】
【技術分野】
【０００１】  本発明は、「ロゴ、マ−ク」と「寄附」に関するものであり、発明者が予め指定した「ロゴ、マ−ク」を、ジュ−スやスナック菓子等の容器に、協賛メ−カ−が印刷販売し消費者が購入すると、発明者が〔請求項７〕の各施設等へ、「協賛メ−カ−の名において」「寄附」するようにしたものである。
【背景技術】
【０００２】  メ−カ−が視覚障害のある方のために、中味が判るように牛乳の「紙パック」の容器の上方に「切り口」を入れたり、「缶ビ−ルの開け口」付近に「点字」で刻印して視覚障害のある方が触れるだけで、中味が判るようにして他社との違いを示し、販売している、メ−カ−がありますが、どの特許文献や、非特許文献として開示されているかは、承知しておりません。
【発明の開示】
【発明が解決しょうとする課題】
【０００３】  本発明は、メ−カ−が自費で、視覚障害のある方々のために、容器に「切り口」を入れたり「点字」で中味が判るよう刻印し、他社との比較を示し販売している食品があるが、視覚障害のある方には、開封しないで中味が判るので有り難いことでありますが、視覚健常者である一般消費者は、開封しなくても容器の印刷等で外見から中味が判り、購入するときは個人の好みのメ−カ−の食品等を買うので、同じ種類の食品等が、陳列棚に並んでいても、「紙パック」の容器に「切り口」を入れたり、「点字」で刻印された商品だから、特別に購入しょうということにはならず、メ−カ−としては経費をかけて、容器に「点字」や「切り込み」を入れてジュ−ス等を販売して、売上の向上を望むものの、売上はさほど伸びず、この不都合を解決することを課題とすために本発明は、ジュ−スやスナック菓子等の容器に、発明者が指定した「ロゴ、マ−ク」を協賛メ−カ−が印刷販売し、その「ロゴ、マ−ク」の入ったジュ−スやスナック菓子等が売れたら、発明者が「メ−カ−の名において」〔請求項７〕へ「寄附」をすることで、不都合を解決し課題を解決しょうとするものです。
【課題を解決するための手段】
【０００４】  視覚障害者のために、食品等の容器に、「切り口」を入れたり「点字」で表示し、視覚障害者の方が、容器に触れるだけで中味が判るようにして、他社との違いを特徴付けして販売しても、視覚障害のある方には、開封しないで中味が判るので有り難いことでありますが、視覚健常者である一般消費者は、開封しなくても外見から中味が判り、購入するときは個人の好みのメ−カ−の食品等を買うので、同じ種類の食品等が、陳列棚に並んでいても、「紙パック」の容器に「切り口」を入れたり、「点字」で刻印された商品だから、特別に購入しょうということにはならず、メ−カ−としては経費をかけて、容器に「点字」や「切り込み」を入れてジュ−ス等を販売して、売上の向上は望めず課題を解決できなかったが、この発明により発明者が指定した「ロゴ、マ−ク」を協賛メカ−が、ジュ−スやスナック菓子等の容器に印刷し販売し、消費者が購入すると「視覚障害」のある方へ「盲導犬」が贈られたり、「身障者」の方へ電動車椅子が贈られたり、「高齢苻の方々等」の介護に携わって働いている方たちへ、資金的な支援が贈られるのであれば、「ロゴ、マ−ク」入りのジュ−スやスナック菓子等を購入しようという衝動を起こさせ、売上をアップさせ、課題を解決する手段とするものであります。
【０００５】  本発明は、ジュ−スやスナック菓子等の容器に、発明者が指定した「ロゴ、マ−ク」を協賛メ−カ−が印刷販売し、その「ロゴ、マ−ク」の入ったジュ−スやスナック菓子等が売れたら、発明者が「メ−カ−の名において」〔請求項７〕へ「寄附」をしますが、幼稚園児や小中学生の子供さんたちでも、「ロゴ、マ−ク」の入ったジュ−スやスナック菓子等を買えば、目の不自由な方へ肓導犬とか、身障者の方とか、お年寄りや体が御不自由な方で車椅子が必要な方に電動車椅子を贈られたり、老人福祉施設等で介護に携わっている方たちに、支援の「寄附」が贈られることを、テレビやラジオ「ミニのぼり広告・ポスタ−」等で全国的に宣伝しているので知れ渡っており、「ロゴ、マ−ク」入りのジュ−スやスナック菓子等を購入する機会が多くなり、売上を上昇させることで課題を解決することができる。
【０００６】  発明者は、特許料の「３分の１」を使って、消費者が「ロゴ、マ−ク」入りの商品を購入すると、その売上の一部が、〔請求項７〕へ「メ−カ−の名において」「寄附」されることを、テレビやラジオの媒体、「ミニチュアのぼり広告」、ポスタ−等を通じて、全国的にピ−、ア−ル活動をし、消費者に「ロゴ、マ−ク」入りの商品を購入したら、各施設等へ「寄附」されることを、一般大衆に周知させているので、店舗の陳列棚に「ロゴ、マ−ク」入りの商品と、対象外の商品が並んでいたら値段は同じなので、どうせ買うなら、「目の不自由な方」へは「盲導犬」が、「体の不自由な方」で車椅子が必要な方へ電動車椅子が贈られ、「高齢者の方々等」の介護に携わって働いている方たちへ、資金的な支援が贈られるのであれば、子供さんたちにも「おやつを買うとすれば」どうせ買うなら、陳列棚に並べてあるジュ−スやスナック菓子等の内「ロゴ、マ−ク」入ったものを購入、「寄附」をしてもらおうという気持ちを持たせ、購入者を増加させ売上を伸ばすことができるので、発明者は「寄附」がされることを一般大衆に周知させるための宣伝をします。。
【０００７】  発明者が「メ−カ−の名において寄附」をするのは、国内の、視覚障害のある方や身障者の方々、日本も高齢者福祉時代に入っており、その関連の老人福祉などの施設や、その関連施設等で介護に携って働いている方々への「寄附」となり、発明者は「協賛メ−カ−の名において」例えば、視覚障害のある方には盲導犬の育成費用とか、身障者の方々や車椅子が必要な方たちへ電動車椅子の寄贈とか、各施設で介護に携わって働いている方たち等への、支援のための「寄附」が贈られることになります。
【０００８】  発明者が、「メ−カ−の名において」、「寄附」する先は〔請求項７〕の、各施設等になり「寄附」に充当される特許料の「３分の１」は供託扱いとされるので、メ−カ−が入金するとき特許料の「３分の１」は、供託される特別の金融機関の口座に振り込まれるので、発明者及び関係者は「寄附」がされるとき出金されますが、その時まで「寄附金」には触れることはなく、また「寄附」が実行される時は、協賛メ−カ−等の立ち会いの元で「寄附」が公正に行われているかどうか、監視の元で公平に実行されます。
【０００９】  発明者は、メ−カ−の名において「寄附」を贈る、全国の視覚障害者や盲導犬養成組織、身障者の福祉施設の団体、高齢者福祉施設の団体及び関連施設等の各施設等へ協力要請をし、「ロゴ、マ−ク」入りの食品等を取り扱っている、全国のコンビニ・ス−パ−・デパ地下・自動販売機を取り扱っている業者等に、定期的に循環して面会してもらい、「ロゴ、マ−ク」の入った食品が売れたら、我々の各施設等へ「寄附」が贈られることを伝えて陳列するとき「ロゴ、マ−ク」を表向きにして並べて目立つように配列してもらうよう協力を要請、売上の向上を目指します。
【００１０】  協賛メ−カ−が選んで、「ロゴ、マ−ク」を容器に印刷する食品等は、牛乳・各種ジュ−ス・コ−ヒ−・アイスクリ−ム・酒類・スナック菓子・インスタントラ−メン・カップ麺・缶詰類・ハム・及びメ−カ−が「寄附」の対象として選別した食品になりますが、食品等は発明者と協賛メ−カの協議の上で決定され、「ロゴ、マ−ク」はその食品等の入った、紙パック・プラスチック容器・紙容器・ペット・ボトル・瓶・缶等の容器等になり、メ−カ−は「ロゴ、マ−ク」を印刷または張り付けをして表示販売しますが、「産地偽装」等の問題の起こりそうな食品は、対象外になります。
【００１１】  この発明での「寄附」行為との違いは、「赤い羽根共同募金」や「年末助け合い運動の募金」の場合、「街頭で幼稚園児や小中学生の子供さんたち」の呼びかけで、お金を出して募金活動の「寄附」をするのと、子供たちが「おやつを買うとき」自分の好みのジュ−スやスナック菓子等を買うだけで、「ロゴ、マ−ク」が容器に印刷されていれば、〔請求項７〕の各施設等へ、「メ−カ−の名において寄附される」ので「何の意識も抵抗も無く自然に寄附行為」に参加していることになります。
【発明の効果】
【００１２】  本発明は、視覚障害のある方が開封しなくても中味が判るように、牛乳とか缶ビ−ルの容器に、メ−カ−の誠意で、「切り口」を入れたり「点字」で表示して、販売しても、売上の上昇は、あまり見込めなかったものを、本発明によりジュ−スやスナック菓子等容器に「ロゴ、マ−ク」入れることで、「目の不自由」な方へ「盲導犬」が贈られたり、「身障者」の方へ電動車椅子が贈られたり、「高齢者の方々等」への介護をされている方たちへ、資金的な支援が贈られるのであれば、同じような商品が陳列棚に並んでいたら、子供たちでも「ロゴ、マ−ク」入りのジュ−スやスナック菓子等を購入する機会が多くなれば、次第に「ロゴ、マ−ク」入りの商品の売上が増し企業の業績も上がるし、「協賛メ−カ−の名において」寄附がされるので「企業のイメ−ジアップ」にもなるし、子供たちも「私たちがの買い物をしたので」各施設等へ「寄附」がされたことが判るように、発明者が「寄附をされた協賛メ−カ−」を知らせる際、子供さんたちの「ロゴ、マ−ク」入りの商品の購入も大きく寄与していることも公表することで、より以上の宣伝効果を果たせるものと考えられます。
【発明を実施するための最良の形態】
【００１３】  発明者が予め指定した「ロゴ、マ−ク」を、協賛メ−カ−がジュ−スやスナック菓子等の容器に印刷して自動販売機や店頭などでで販売しますが、「ロゴ、マ−ク」は自動販売機で販売しても店頭に陳列しても目立つ箇所に印刷して貰います。
【産業上の利用可能性】
【００１４】  協賛メ−カ−が「寄附」の対象として選別した、ジュ−スやスナック菓子等の容器に「ロゴ、マ−ク」を印刷しますが、従来のデザインを利用するので大幅な変更は必要ないので、印刷に係わる経費の軽減になり、産業上の利用可能性を有するものと考えられます。